(57)【要約】  所望によりハンドル（３５）に取り外し可能に取り付け可能な掃除用品（１０）。掃除用品（１０）は、層状構造内で共に接合されているトウ繊維層（１４）とシート材料層（１２）とを有する。トウ繊維層（１４）は、トウ繊維（１４）がシート（１２）の縁から張り出すように、シート（１２）よりも大きい幅を有する。張り出しの量は、掃除用品の長さの少なくとも一部分の全体を通じて変化する。そのような変化は、トウ繊維の毛羽立てを促進すると考えられる相異なる張り出しを提供する。
2015512692.tif 000002
【特許請求の範囲】
【請求項１】
所望によりハンドル（３５）に取り外し可能に取り付けるための、長手方向の長さを画定する長手方向軸（Ｌ）を有する掃除用品（１０）であって、
少なくとも１層のトウ繊維（１４）であり、前記トウ繊維は、前記長手方向軸（Ｌ）に並置された近位端から、そこから横方向に離れた遠位端まで、横方向に外向きに延在し、前記層は更に、第１及び第２の対向する面を有し、かつ前記背部から前記繊維の前記遠位端までのトウ繊維幅を画定している、前記トウ繊維と、前記少なくとも１層のトウ繊維（１４）の前記第１の面上に配置された概ね平らなシート（１２）であり、前記シート（１２）はシート（１２）幅を有し、前記シート（１２）幅は前記トウ繊維の幅よりも大部分において小さい、前記シート（１２）と、を備え、前記トウ繊維の前記遠位端が前記シート（１２）の縁から相異なって張り出しているために、前記シート（１２）と前記トウ繊維の幅の差が、前記長手方向の長さの大部分に沿って変化していることを特徴とする、掃除用品（１０）。
【請求項２】
前記シート（１２）の幅が前記トウ繊維の幅よりも大部分において小さく、前記シート（１２）幅が前記シート（１２）の長手方向の長さの大部分において一定でないことを特徴とする、請求項１に記載の掃除用品（１０）。
【請求項３】
概して平らなシート（１２）が、前記少なくとも１層のトウ繊維（１４）の前記第１面上に配置され、前記シート（１２）は対向する２つの長手方向縁（２０）を有し、前記トウ繊維は前記シート（１２）の前記長手方向縁（２０）から相異なって張り出していることを特徴とする、請求項１に記載の掃除用品（１０）。
【請求項４】
前記掃除用品（１０）が、前記長手方向軸（Ｌ）に対して対称であることを特徴とする、請求項１〜３のいずれか１項に記載の掃除用品（１０）。
【請求項５】
前記相異なる張り出し（ＤＯ）が、前記長手方向の長さ全体を通じて存在することを特徴とする、請求項１〜４のいずれか一項に記載の掃除用品（１０）。
【請求項６】
前記掃除用品（１０）が、長手方向軸（Ｌ）を有し、かつ前記長手方向軸（Ｌ）に対して対称であることを特徴とする、請求項１〜５のいずれか一項に記載の掃除用品（１０）。
【請求項７】
２つの対向する横方向の縁（２２）を有する掃除用品（１０）であって、前記トウ繊維の前記シート（１２）に対する前記相異なる張り出し（ＤＯ）が、前記横方向の縁のいずれかから、前記長手方向軸（Ｌ）に接近するほど、前記長手方向において単調に増大又は減少することを特徴とする、請求項１〜６のいずれか一項に記載の掃除用品（１０）。
【請求項８】
前記概ね平らなシート（１２）が、第１シート（１２）を含み、更に、前記第１シート（１２）に接合された第２シート（１２）を含んで、それらの間に少なくとも１つの長手方向に配向されたスリーブ（３０）を形成してその中にフォーク歯（３６）を受容し、前記シート（１２）の１つが、任意選択的に、横方向に延在するギャザーストリップを備えていることを特徴とする、請求項１〜７のいずれか一項に記載の掃除用品（１０）。
【請求項９】
前記長手方向軸（Ｌ）の周囲で対称である掃除用品（１０）であって、前記掃除用品（１０）は、長手方向軸（Ｌ）を有し、前記シート（１２）の前記長手方向の縁のそれぞれは、凹状になるように切り込みが入れられていることを特徴とする、請求項１〜８のいずれか一項に記載の掃除用品（１０）。
【請求項１０】
前記切り込みが、弓形であり、前記長手方向軸（Ｌ）に接近するほど増す曲率半径を有することを特徴とする、請求項９に記載の掃除用品（１０）。
【請求項１１】
前記トウの遠位端が、前記シート（１２）の前記長手方向縁（２０）から約５〜約５０ｍｍ張り出していることを特徴とする、請求項１〜１０のいずれか一項に記載の掃除用品（１０）。
【請求項１２】
前記概ね平らなシート（１２）が、第１シート（１２）長手方向縁（２０）を有する第１シート（１２）を備え、前記掃除用品（１０）が、更に、それぞれの第２シート（１２）長手方向縁（２０）を有する、前記第１シート（１２）に接合された第２シート（１２）を備え、前記第１シート（１２）長手方向縁（２０）と前記第２シート（１２）長手方向縁（２０）とが、前記長手方向の軸（Ｌ）から外方に一致しないように配置されることを特徴とする、請求項１〜１１のいずれか一項に記載の掃除用品（１０）。
【請求項１３】
前記相異なる張り出し（ＤＯ）が前記長手方向の長さ全体を通じて存在し、前記シート（１２）が更にギャザーストリップ（１７）を含むことを特徴とする、請求項１〜１２のいずれか一項に記載の掃除用品（１０）。
【請求項１４】
前記相異なる張り出し（ＤＯ）が前記長手方向の長さ全体を通じてランダムに存在することを特徴とする、請求項１〜１３のいずれか一項に記載の掃除用品（１０）。
【請求項１５】
前記トウ繊維（１４）層が、それぞれの第１トウ繊維層（１４）長手方向長さを有する第１トウ層を備え、前記掃除用品（１０）が、更に、それぞれの第２トウ繊維（１４）層長手方向長さを備え、前記第１トウ層長手方向長さが、前記第２トウ繊維（１４）層長手方向長さと異なっていることを特徴とする、請求項１〜１４のいずれか一項に記載の掃除用品（１０）。
【発明の詳細な説明】
【技術分野】
【０００１】
本発明は、掃除用品、より具体的には、トウ繊維などを含む掃除用品に関する。
【背景技術】
【０００２】
様々な掃除用品が、ダスティング及び軽い掃除のために開発されてきた。例えば、乾燥した状態で、又は研磨及び洗浄組成物によって濡れた状態で使用される、布ウエス及びペーパータオルが、比較的平らな表面で使用されてきた。しかしながら、布及びペーパータオルは、衛生状態（掃除中に、使用者の手が、化学薬品、汚れ、又は表面に触れることがある）、届く範囲（使用者の手をウエス又はペーパータオルとともに、届き難い場所に入れることが困難である場合がある）、及び不便さ（間隔の狭い物品の間を掃除することは、典型的に、物品の移動を必要とする）などの理由のために、問題がある。
【０００３】
ウエス、及びペーパータオルの使用に伴う、これらの問題を克服するために、１９０６年に、Ｈａｙｄｅｎに発行された、米国特許第８２３，７２５号によって例示されるように、羽毛、子羊のウール、及び合成繊維ブラシを有する様々な集塵装置が、１世紀を超える期間にわたって利用されてきた。このような集塵装置は、製造に費用がかかることがあり、そのため、洗浄及び再利用されるように設計される。再利用可能な集塵装置に伴う１つの問題は、このような集塵装置が、ほこりを良好に把持、又は捕捉しない場合があることである。汚れた再利用可能な装置は、典型的に、振盪によって、又は他の機械的攪拌によって、洗浄される。このプロセスは、洗浄プロセス中に、洗浄プロセスを中断して、及び／又は洗浄プロセスの後に、追加の工程を必要とするために、完全に満足のできるものではない。更に、装置の回復の試みは成功するとは限らず、先に収集した塵を再び付着させることになる場合がある。
【０００４】
再利用可能な集塵装置によって経験される問題に対処するため、限定的な再利用性を有する、使い捨て集塵装置が開発されてきた。これらの使い捨て集塵装置は、第２０１０／０３１９１５２号に記載されているように、シートに取り付けられた、トウ繊維と呼ばれる、合成繊維束で作製されたブラシ部分を含む場合がある。あるいは、トウ繊維は、第４，１４５，７８７号に記載されているように、プレートに取り付けられ得る。使い捨て掃除用品は、１回の仕事（数平方メートルの表面）に使用して捨ててもよく、保存して、より多くの仕事に再び使用してから捨ててもよい。羽毛ダスター、布、ストリングモップ、ストリップモップなどを含む、従来的な掃除用品は、本発明の目的のために、使い捨てではない。
【０００５】
そのような装置は、例えば、米国特許第６，８１３，８０１号、同第６，９６８，５９１号、同第６，９８４，６１５号、同第７，２２８，５８７号、同第７，２３１，６８５号、同第７，２３４，１９３号、同第７，２３４，９１４号、同第７，２３７，２９６号、同第７，２３７，２９７号、同第７，２４３，３９１号、同第７，３０２，７２９号、同第７，３０２，７３０号、及び／又は同第７，３３４，２８７（共通の関連特許出願を有する）にしたがって作製することができる。この系列の特許は、共通の特徴−概して平面の物品の両側からストリップが横方向に延在している−を有する。これらのストリップは、物品の平面から外れるようにトウ繊維の変形を促進することによって、中間のトウ繊維の表面積を増す目的を果たす。このアプローチは、ストリップのために過度の材料が使用されるという付随的問題を有する。長手方向軸から測定されたそれらのストリップの長さがトウ繊維と同じ長さを有する場合、トウ繊維が標的表面と完全に接触することをストリップが妨害する恐れがある。
【０００６】
ストリップを備えた掃除用品に伴う別の問題は、そのような掃除用品が、典型的には、平らな状態で梱包されていることである。最適な性能を得るには、使用者は使用の前に掃除用品を予め毛羽立てる必要がある。使用説明書があっても、多くの使用者はこの工程を正しく行う方法を単に理解していない。一部の使用者は、使用説明書を読まずに、この工程全体を省略する。更には、製造中の不適切な切断のために、ストリップが部分的に接合されていて、毛羽立てる工程を不十分にする又はより困難にする場合がある。そのような掃除用品におけるストリップの問題は、布の両側からだけでなく前からも延在しているストリップを教示する第５，９５３，７８４号では、更に悪化している。
【０００７】
この問題を克服するための１つの試みは、横方向に延在するストリップを使用しない第７，５６６，６７１号に見出される。しかし、この試みは、その掃除用具が、第６，８１３，８０１号の系列が教示するように掃除用具の両面でなく、片面でのみ掃除するという欠点を有する。
【０００８】
前述の第７，５６６，６７１号の片面掃除の短所を克服する試みは、らせんダスターを教示する第７，２５１，８５１号に見出される。しかし、このアプローチは、前述の第６，８１３，８０１号の系列及び第８２３，７２５号と同様の構成から始まるので、意図された解決策を１００年前にこの問題の発端となった同じアプローチに戻すことになる。
【先行技術文献】
【特許文献】
【０００９】
【特許文献１】米国特許第８２３，７２５号
【特許文献２】米国特許第２０１０／０３１９１５２号
【特許文献３】米国特許第４，１４５，７８７号
【特許文献４】米国特許第６，８１３，８０１号
【特許文献５】米国特許第６，９６８，５９１号
【特許文献６】米国特許第６，９８４，６１５号
【特許文献７】米国特許第７，２２８，５８７号
【特許文献８】米国特許第７，２３１，６８５号
【特許文献９】米国特許第７，２３４，１９３号
【特許文献１０】米国特許第７，２３４，９１４号
【特許文献１１】米国特許第７，２３７，２９６号
【特許文献１２】米国特許第７，２３７，２９７号
【特許文献１３】米国特許第７，２４３，３９１号
【特許文献１４】米国特許第７，３０２，７２９号
【特許文献１５】米国特許第７，３０２，７３０号
【特許文献１６】米国特許第７，３３４，２８７号
【特許文献１７】米国特許第５，９５３，７８４号
【特許文献１８】米国特許第７，５６６，６７１号
【特許文献１９】米国特許第７，２５１，８５１号
【発明の概要】
【発明が解決しようとする課題】
【００１０】
したがって、ギャザーストリップを必要としない掃除用品の必要が存在する。そのような掃除用品は更に、塵を集め、保持するためのトウ繊維の有利な使用をもたらすことができ、かつ、しばしば無視されるか、又は不適切に行われる毛羽立てる工程を使用者ができるだけしなくてよいようにすること又は削除することもまた可能にし得る。
【課題を解決するための手段】
【００１１】
本発明は掃除用品を含む。この掃除用品は、所望によりハンドルに取り外し可能に取り付け可能である。この掃除用品は、互いに面する関係でともに接合されている少なくとも１層のトウ繊維と少なくとも１枚のシートとを備えている。トウ繊維の少なくともいくつかは、シートの縁から張り出している。この重なりの量は、掃除用品の長手方向長さの少なくとも一部分の全体を通じて異なっている。
【図面の簡単な説明】
【００１２】
【図１】先行技術による、２枚の外薄層上にストリップを有する掃除用品の概略分解斜視図である。
【図２】長手方向軸Ｌの片側に凹状の切り込みを備えるシートを有し、かつ長手方向軸Ｌのもう一方の側に凸形状を有する、本発明による掃除用品の分割概略頂面図である。
【図３】長手方向軸の片側に、密度が変化し、長さが単調に変化するトウ繊維層を有し、かつ長手方向軸Ｌのもう一方の側にランダムな形状を有する、本発明による掃除用品の分割概略頂面図である。
【図４】長手方向軸Ｌの片側にスカロップを有し、長手方向軸Ｌのもう一方の側に直線状の面を備えた凹凸形状を有する、本発明とともに使用可能なシートの代替的実施形態の分割頂面図である。
【図５】長手方向軸Ｌの片側に切り込みを有し、長手方向軸Ｌのもう一方の側に正弦波状の縁を有する、本発明とともに使用可能なトウ繊維層の代替的実施形態の分割頂面図である。
【図６】本発明とともに使用可能な入れ子状の４枚の個々のシートを有する、本発明とともに使用可能なシート材の分割頂面図である。
【発明を実施するための形態】
【００１３】
図１を参照すると、掃除用品１０は概して細長く、長手方向軸Ｌを有することができるが、他の形も企図され、かつ実行可能である。掃除用品１０は、ハンドル３５に取り外し可能に取り付け可能であり、及び／又はハンドルなしに使用され得る。好適なハンドル３５は、同一出願人による米国特許公開第２０１１／０００９９７６４号に開示されている。
【００１４】
掃除用品１０のｚ方向は、掃除用品１０のハンドル３５（存在する場合）に通常は最も近いシート１２に垂直の方向であり、ＸＹ平面は、シート１２によって画定される平面として画定され、通常はｚ方向に垂直である。掃除用品１０は、長手方向軸Ｌ及び、それに直交する横方向軸Ｔを有し得る。掃除用品１０、及びそのそれぞれの構成要素は、長手方向軸Ｌに平行な２つの長手方向縁２０、及び横方向軸Ｔに平行な横方向縁２２を有し得る。
【００１５】
掃除用品１０などの長さは、長手方向で測定される。掃除用品１０の幅は、長さ方向に対し垂直で、シート１２の面内に配置されると一致する。厚さは、ｚ方向の寸法として定義される。図に示されるストリップの長さ及び幅は、それぞれ、横方向及び長手方向で測定される。
【００１６】
掃除用品１０は、向かい合わせの関係で接合されている２つ又は３つ以上の薄層を有するものと考えることができる。薄層は、トウ繊維薄層１４、概して平面のシート１２である中間の２薄層を備え得る。あるいは、単一のトウ繊維層１４が、単一の概して平面のシート１２に接合されてもよい。４層を含むトウ繊維層１４が示されているが、当業者は、本発明とともに使用するために１枚〜数枚の層が実行可能であり、企図されることを理解するであろう。同様に、本発明とともに使用するために１枚、２枚又は３枚以上のシート１２が実行可能であり、企図される。
【００１７】
取り付けシステムは、好適でありかつ任意選択のハンドル３５への掃除用品１０の取り外し可能な取り付けをもたらすことができる。掃除用品１０の取り付けシステム及び任意選択の相補的ハンドル３５の取り付けは、接着剤接合、粘着接合、機械的係合などを含むことができる。一般的な取り付けシステムの１つは、ハンドル３５の歯３６が挿入され得るスリーブ３０を含む。スリーブ３０は外薄層１２上に配置することができる。
【００１８】
シート１２は、外側に面する優先的掃除面、及びこれと反対側の、第２の内側に面する取り付け面を有することができる。シート１２は、不織シート１２を含むことができる。好適な不織布は、同一出願人による米国特許第６，７９７，３５７号、同第６，９３６，３３０号、同第Ｄ４８９，５３７号及び／又は同第Ｄ４９９，８８７号にしたがって作製されてよい。
【００１９】
シート１２に隣接しているのは、圧縮可能及び／又は変形可能な繊維１４の第２薄層であってよい。第２薄層は、トウ繊維１４を含むことができる。トウ繊維薄層１４は、シート１２と向かい合わせの関係で接合させることができる。トウ繊維薄層１４は、掃除中に標的とする表面と直接接触するのに好適であり得る。
【００２０】
トウ繊維１４は、合成であってよい。本明細書で使用するとき、「束繊維」及び／又は「トウ」は、ポリエステル、ポリプロピレン、ポリエチレン、及びセルロースアセテートを含むセルロース材料、並びにこれらの混合物を含む合成ポリマーを含有する製造された繊維を指し、個々の繊維は、束で製造された比較的長いストランドである。束繊維は、区別可能な端部を有し、かつ少なくとも約１ｃｍの長さである、任意の繊維として定義され得る。本発明の掃除用品１０は、任意選択の吸収性コア（図示せず）を更に含むことができる。
【００２１】
シート１２、繊維状の層１４及び非平面構造物１６を、熱結合、自溶結合、超音波結合、ヒートシーリング、接着剤及び／又は当該技術分野で既知の他の手段によって、ともに接合することができる。シート１２は、向かい合わせの関係で、ともに接合された２つの層を含むことができる。シート１２、繊維状の層１４及び非平面構造物は、長手方向軸Ｌに平行な中央背部４２をもたらすパターンで結合することができる。
【００２２】
トウ繊維層１４と概して平面のシート１２との接合は、当該技術分野で公知の連続結合３８及び／又はスポット結合３８の任意の組み合わせを用いて行うことができる。結合３８は、当該技術分野で公知でありかつ本明細書において説明される取り付けシステムのためのスリーブを作り出すために使用することができる。
【００２３】
２つの層を接合する結合パターンは、本発明の掃除用品１０とともに使用される場合、ハンドル３５の歯３６と相補的であり、かつそれらを受容することのできるスリープ３０を提供するパターンで提供することができる。具体的には、結合は、歯３６が、隣接する結合部３８の間に作られるポケット又はスリーブ３０の中に挿入され得るように、一般に長手方向に向いたパターンで提供されてもよい。
【００２４】
結合パターンは、連続的に結合された又は離散的に結合された中央背部４２を提供し得る。中央背部４２の外側寄りで、結合パターンは、１つ以上の連続又は非連続の結合箇所を含むことができる。中央背部４２の結合と、外側寄りの結合３８との間の空間は、任意のハンドル３５の歯３６を受容するためのスリーブ３０を作り出すことができる。所望により、シート１２を横断方向に収縮すること／ひずませることができる。このプロセスは、シート１２にしわ、すなわちひだをもたらすことができる。このしわ／ひだは、シート１２の層と層との間を引き離し、所望によりスリープ３０に歯３６を挿入することをより容易にすることができる。
【００２５】
図２を参照すると、ハンドル３５への取り外し可能な取り付けのための本発明による掃除用品１０は、長手方向長さを画定する長手方向軸Ｌを有する。ここでも、掃除用品１０は、少なくとも１層のトウ繊維１４を含んでいる。トウ繊維は、前記長手方向軸Ｌと並列した近位端から外向きに横方向に延びている。トウ繊維層１４は、更に、第１及び第２の対向する面を有し、トウ繊維の幅ＴＦＷを画定する。トウ繊維の幅ＴＦＷは、長手方向軸Ｌから一直線に平らな横方向で測定された特定のトウ繊維の遠位端までの距離である。トウ繊維の幅ＴＦＷは、長手方向長さ全体を通じて一直線又は可変であり得る。
【００２６】
掃除用品１０は、トウ繊維１４の少なくとも１層の第１面上に配置された概ね平らなシート１２を更に備えている。シート１２は、一直線の平らな横方向で測定されたシート１２の幅ＳＷを有する。シート１２の幅ＳＷは、トウ繊維の幅ＴＦＷよりも大部分において小さい。シート１２の幅ＳＷとトウ繊維の幅ＴＦＷとの間の差は、掃除用品１０の長手方向長さの大部分に沿って変化している。この外形は、本明細書では、「相異なる張り出しＤＯ」と呼ばれる。
【００２７】
もちろん、そのような相異なる張り出しＤＯは、シート１２とトウ繊維１４の層との間に合致があるところの長手方向長さ全体に該当し、これらの構成要素のうち、長手方向により短い方によって支配される。「大部分において」とは、シート１２の幅ＳＷが、前記シート１２長手方向長さの少なくとも５０％、７５％、又は１００％を通じて、トウ繊維の幅ＴＦＷよりも小さいことを意味する。しかし、長手方向長さの少なくとも１０、２０、３０又は４０％を通じて相異なる張り出しＤＯを有する掃除用品１０もまた企図される。
【００２８】
もちろん、トウ繊維１４の複数の層の間に挟まれた１枚以上のシート１２がある場合、又はその逆の場合、各シート１２／トウ繊維層１４は、シート１２の幅ＳＷとトウ繊維の幅ＴＦＷとの異なる組み合わせを提供することになる。そのような組み合わせはそれぞれ、それらの間にそれぞれの相異なる張り出しＤＯを提供することになる。相異なる張り出しＤＯは、所望により、同じでも異なっていてもよい。逆に、一実施形態では、掃除用品１０は長手方向軸Ｌに対して対称であってもよい。その場合は、シート１２の縁を越えるトウ繊維の相異なる張り出しＤＯは、長手方向の中央線の両側で等しくなる。
【００２９】
図３を参照すると、所望により、１枚及び／又はそれ以上のシート１２のそれぞれの長手方向縁を切り込んで凹状にして、凹状と呼ばれるシート１２を提供することができる。トウ繊維層１４の幅が一定である場合は、この構成は、横方向軸Ｔに接近するほど比較的大きくなり、いずれかの横方向縁に接近するほど比較的小さくなる相異なる張り出しＤＯを提供する。この構成は、掃除用品１０の中央の近くで比較的大きい相異なる張り出しＤＯが、掃除用品１０の中央の近くにトウ繊維の比較的大きい毛羽立ちを提供し得るという利点を提供する。
【００３０】
図４を参照すると、所望により、１枚以上のシート１２のそれぞれの長手方向縁を凹状にし、凹状と呼ばれるシート１２を提供し得る。トウ繊維層１４の幅が一定である場合は、この構成は、いずれかの横方向縁に接近するほど比較的大きくなり横方向軸Ｔに接近するほど比較的小さくなる相異なる張り出しＤＯを提供する。この構成では、掃除用品１０の中央の近くの比較的小さい相異なる張り出しＤＯは、掃除用品の横方向縁２２の近くにトウ繊維の比較的大きい毛羽立ちを提供し得るという利点を提供する。
【００３１】
所望により、掃除用品１０は、弓形で、横方向軸Ｔに接近するほど増す曲率半径を有する切り込みを有することができる。この構成は、生じさせられる毛羽立ての量の、より急速な変化をもたらす。１４０〜２００ｍｍの範囲の長さ及び９０〜１３０ｍｍの範囲の横幅を有する、本明細書に記載の実施形態の非限定的な例では、相異なる張り出しＤＯは、長手方向縁２０に沿った様々な位置で、４〜６０ｍｍ、５〜５０ｍｍ、又は１０〜３０ｍｍの範囲であり得る。
【００３２】
また別の実施形態では、掃除用品１０は、第１シート１２外形を有するそれぞれの第１シート１２長手方向縁２０を有する第１シート１２を備え得る。掃除用品１０は、それぞれの第２シート１２長手方向縁２０及びそれぞれの第２シート１２外形を有する第２シート１２を更に備え得る。第１シート１２長手方向縁２０と第２シート１２長手方向縁２０が長手方向軸Ｌから外向きに同一に配置されないように、第１シート１２外形と第２シート１２外形とは異なる場合がある。この構成は、各シート１２に関連付けられる相異なる張り出しＤＯが、相異なりかつ潜在的により大きい毛羽立ちをもたらす利益を提供する。
【００３３】
更に別の実施形態では、シート１２長手方向縁２０は鋸歯状であり得る。鋸歯状縁は、同一の、類似の、及び／又は異なるピッチ及び／又は深さであり得る。鋸歯状縁は、のこぎり歯状、正方形、正弦波形状など、及び／又はそれらの任意の組み合わせであり得る。
【００３４】
図３を参照し、別の実施形態において、１枚以上のシート１２長手方向縁２０は、一直線かつ平行であり得る。逆に、トウ繊維層１４長手方向縁２０は、前記シート１２長手方向縁２０から相異なって張り出すように、曲線状、切り込み形状、凹状、凸状などであり得る。この構成は、規則的な形状のシート１２を使用してトウ繊維層１４の幅を変化させ、相異なる張り出しＤＯをもたらすことができるという利益を提供する。
【００３５】
トウ繊維層１４は、シート１２に対して、上述のように凹状であってもよく、あるいは、同じく上述のように、シート１２に対して凸状であってもよい。あるいは、トウ繊維層１４の幅及びそれぞれの対応する相異なる張り出しＤＯは、いずれかの横方向縁に接近するほど単調に増大又は単調に減少してもよい。この工程は、長手方向の位置に応じて毛羽立ちが制御され得るという利益を提供する。逆に、トウ繊維をランダムに配置して、前記相異なる張り出しＤＯが前記長手方向の全長を通じてランダムに存在する掃除用品１０を提供することができる。
【００３６】
所望により、更に別の実施形態では、本発明による掃除用品１０は、複数のデシテックス値を有するトウ繊維層１４を備え得る。具体的には、非限定的な例では、単一のトウ繊維層１４は、複数のデシテックス値を含み得る。加えて、あるいは代わりに、各トウ繊維層１４は単一のデシテックス値を含んでもよいが、異なるトウ繊維層１４は相互に異なるデシテックス値を有してもよい。
【００３７】
デシテックス値は、約１〜約３０の範囲であってよく、デシテックス値の比は１．５：１〜５：１の範囲であってよい。所望により、より高いデシテックス値を有するトウ繊維の層を、トウ繊維の最上層の比較的近くに配置することができ、より低いデシテックス値を有するトウ繊維の層を、掃除対象表面の比較的近くに配置することができる。
【００３８】
また別の実施形態では、掃除用品１０は、横方向で測定されたそれぞれの第１トウ繊維層１４の長手方向長さを有する第１トウ繊維層１４を備え得る。この掃除用品１０は、更に、それぞれの第２トウ繊維層１４の長手方向長さを有する第２トウ繊維層１４を備え得る。第１トウ繊維層１４の長手方向長さは第２トウ繊維層１４の長手方向長さと異なり得る。
【００３９】
図４を参照すると、本発明による代替シート１２は、複数のスカロップを含む長手方向縁２０を有し得る。スカロップは、示されるように異なる深さ及び幅であってもよく、又は同一の外形であってもよい。代わりに、又は加えて、そのようなシート１２は、直線の側部２０、２２で作られた凹形または凸形を含み得る。これらの外形はいずれも、シート１２に対して、トウ繊維層１４の相異なる張り出しＤＯを提供する。
【００４０】
代わりに、又は加えて、（１つ又は複数の）シート１２横方向縁２２は、横方向軸Ｔから可変の距離であり得る。横方向軸Ｔから一定の距離のトウ繊維層１４とともに使用する場合、この構成は、掃除用品１０の近位の横方向縁２２に、及び特に遠位の横方向縁２２に、シート１２に対するトウ繊維層１４の相異なる張り出しＤＯを提供する。
【００４１】
図５を参照すると、本発明による代替トウ繊維層１４は、複数の切り込みを含む長手方向縁２０を有し得る。切り込みは、示されるように異なる深さ及び幅であってもよく、又は同一の外形であってもよい。代わりに又は加えて、そのようなトウ繊維層１４は、正弦波形の長手方向縁２０を含み得る。これらの外形はいずれも、シート１２に対して、トウ繊維層１４の相異なる張り出しＤＯを提供する。
【００４２】
代わりに、又は加えて、トウ繊維層１４の横方向縁２２は、横方向軸Ｔから可変の距離であり得る。横方向軸Ｔから一定の距離のシート１２とともに使用する場合、この構成は、（１つ又は複数の）シート１２に対するトウ繊維層１４の相異なる張り出しＤＯを掃除用品１０の近位の横方向縁及び特に遠位の横方向縁にて提供する。
【００４３】
所望により、本明細書に記載の様々な掃除用品１０をａ，としてパッケージ化し及び販売することができる。いくつかの掃除用品１０は、前述の凹状シート１２を有することができ、他の掃除用品１０は凸状シート１２を有することができる。この構成は、異なる仕事に対する異なる掃除用品１０の選択肢を使用者が有する利益を提供する。
【００４４】
図６を参照すると、更なる予測されない利益が製造中に生じる。凸状及び凹状のシート１２は、入れ子にして、単一の、より大きい材料片から切断され得る。個々のシート１２が、より大きい材料から切断されるので、入れ子のために無駄が最小限になる。
【００４５】
当業者は、上述の実施形態のハイブリッド及び組み合わせが企図され、実行可能であることを認識するであろう。例えば、本明細書に記載した任意のシート１２を本明細書に記載した任意のトウ繊維層１４とともに使用することができる。単一の掃除用品１０は、同様の若しく異なった外形を有する複数のシート１２及び／又は、同様の若しくは異なった外形を有する複数のトウ繊維層１４を備え得る。そのようなシート１２及びトウ繊維層１４を互いに隣り合わせに配置する、散在させる、又は任意の所望の層の構成で配置することができる。
【００４６】
更に、本明細書に記載の任意の実施形態は、任意選択的に、相異なる張り出しＤＯを有するシート１２及び／若しくはトウ繊維層１４、開口部を有するシート１２、弾力的に収縮されたシート１２、並びに／又は弾力的に収縮された直立パネルを有する掃除用品１０（それぞれ、同一出願人によるＰ＆Ｇ事例１２３８２号、１２３８３号、１２３８４号、及び１２３８５号に示されている）の任意の１つ、任意の組み合わせ、又は全てを含むことができる。そのような変化を伴った実施形態の全ては、全てが２０１２年３月９日に出願された、これらの４つの前述の同一出願人による特許出願に記載されている。
【００４７】
任意のシート１２及び／又はトウ繊維の層１４を、接着剤、ろう、ニュートンオイル若しくは非ニュートンオイル、又はそれらの組み合わせで、完全に又は部分的にコーティングして、掃除を改善すること、及び吸収された塵の保持を増すことができる。所望により、掃除用品１０を、任意選択的に洗浄溶液、又は例えば外観若しくは殺菌などのための表面処理などの他の目的のために使用可能な他の溶液とともに使用してもよい。洗浄溶液を掃除用品１０に予め適用して、予め湿らせた掃除用品１０を作り出してもよく、あるいは、別個の容器内に収容して、掃除用品１０及び／又は標的表面上に投与してもよい。洗浄溶液は、大半の水、及び少なくとも約０．５、２、５若しくは１０％の固体、又は少なくとも約３０％若しくは５０％の水性溶媒、非水性溶液、若しくはその混合物を含むことができる（全て重量による）。
【００４８】
所望により、掃除用品１０は、更に、２００９年１２月４日に出願された同一出願人による米国特許公開第２０１１／０１３１７４６号（Ａ１）に開示されているように、非平面構造物を含み得る。非平面構造物は、ＸＹ平面の外の、ｚ方向に延在し得る。
【００４９】
図１を再び参照すると、掃除用品１０は、所望により更に、先行技術により周知のギャザーストリップ１７を備え得る。本明細書で使用するとき、ギャザーストリップ１７は、物品１０の長手方向中心線から横方向に外向きに延在し、（横方向に測定された）長さが（長手方向に測定された）対応する幅よりも大きいカンチレバー要素を指す。製造によって意図されるように、ギャザーストリップ１７はＸＹ面内にあるが、使用前の毛羽立て、及び／又は標的表面に対する動きによって使用中に生じる変形によって変形してＸＹ面外に出る場合がある。ギャザーストリップ１７は、上述のシート１２の１つに組み込まれてもよく、又は、別個のシート１２上に配置されてもよい。
【００５０】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００５１】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００５２】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015512692.tif 000003
【図２】
2015512692.tif 000004
【図３】
2015512692.tif 000005
【図４】
2015512692.tif 000006
【図５】
2015512692.tif 000007
【図６】
2015512692.tif 000008
【国際調査報告】
2015512692.tif 000009
2015512692.tif 000010
2015512692.tif 000011